(57)【要約】【課題】災害の発生により夜間の屋外照明が失われた場合に避難者を避難指定場所へ誘導することができるようにする。【解決手段】平面視で矩形に形成されている基板１の一面の中央部に文字、記号の蓄光標示層２を設け、この蓄光標示層２の周りの縁部分を再帰反射標示層３とし、蓄光標示層２及び再帰反射標示層３の視認性対比により標示を認知することができるようにした。【選択図】        図１
2004332369.tif 000002
【特許請求の範囲】
【請求項１】
標示部が蓄光性及び再帰反射性を有することを特徴とする道路標示用シート。
【請求項２】
基板の一面に蓄光標示層及び再帰反射標示層を有することを特徴とする道路標示用シート。
【請求項３】
基板の一面に再帰反射体を有する蓄光標示層を備えていることを特徴とする道路標示用シート。
【請求項４】
請求項１乃至３の何れかに記載の道路標示用シートを道路に貼着することを特徴とする道路標示用シートの使用方法。
【発明の詳細な説明】
【０００１】
【発明の属する技術分野】
本発明は、災害時、特に夜間の屋外照明がない場合でも非難誘導するのに好適な道路標示用シート及びこれの使用方法に関する。
【０００２】
【従来の技術】
災害などにより外灯などが停電し、夜間の屋外照明が失われた場合、屋外の暗闇のなかで避難者を学校、公民館などの避難指定場所へ誘導するための標示が望まれていた。
【０００３】
ところで、蓄光性を有する道路標示は、蓄光性を有するコンクリート製、セラミックス製などのブロックからなる道路標示体を路面に設置すること（例えば、特許文献１）、蓄光性を有する金属製などの鋲を路面に設置すること（例えば、特許文献２）、蓄光性を有する二液型アクリル樹脂塗料を用いて路面に薄膜施工を行うこと（例えば、特許文献３）が知られている。
【０００４】
【特許文献１】
特開２００２−２２０８１８号公報
【特許文献２】
特開２００１−２９５２３１号公報
【特許文献３】
特開平７−１６４４１１号公報
【０００５】
【発明が解決しようとする課題】
しかしながら、特許文献１、２のようにブロック、鋲を路面に設置する場合、ブロック、鋲の製作費用が比較的高くなり、しかも、路面に設置する場合、路面を掘削してブロック、鋲の一部を埋め込む必要があり、設置費用が比較的高くなる。また、特許文献３のように塗料を路面に薄膜施工する場合、専用の施工機械が必要であり、しかも、塗料が薄膜施工されるに過ぎないため、車両の通行などにより標示部が摩耗、変形、汚損、剥離などが発生し、耐久性及び視認性を長期間に亘って維持することが難しい。
【０００６】
本発明は、上述のような事情に鑑みてなされたものであり、標示部に蓄光性及び再帰反射性を有するシートとすることにより、災害などにより夜間の屋外照明が失われた場合に避難者を避難指定場所へ誘導することができるとともに、簡易に設置することができる道路標示用シートを提供することを目的とする。
【０００７】
また、基板の一面に蓄光標示層及び再帰反射標示層を有するシートとすることにより、災害などにより夜間の屋外照明が失われた場合に避難者を避難指定場所へ誘導することができるとともに、簡易に設置することができる道路標示用シートを提供することを目的とする。
【０００８】
また、基板の一面に再帰反射体を有する蓄光標示層を備えたシートとすることにより、災害などにより夜間の屋外照明が失われた場合に避難者を避難指定場所へ誘導することができるとともに、簡易に設置することができる道路標示用シートを提供することを目的とする。
また、上述した道路標示用シートを道路に貼着することにより夜間の誘導ができる使用方法を提供することを目的とする。
【０００９】
【課題を解決するための手段】
第１発明に係る道路標示用シートは、標示部が蓄光性及び再帰反射性を有することを特徴とする。
【００１０】
第１発明にあっては、標示部が蓄光性を有するため燐光を発生させて標示することができ、また、再帰反射性を有するため乾電池式投光器（懐中電灯）などの比較的弱い入射光によってもこの入射光を反射させて標示することができる。この結果、災害などにより夜間の屋外照明が失われた場合、屋外の暗闇のなかでは燐光による標示によって避難者を学校、公民館などの避難指定場所へ誘導することができ、また、避難者が所持する懐中電灯などの光量が少ない場合は再帰反射による標示によって避難者を学校、公民館などの避難指定場所へ誘導することができる。しかも、工場で製造されるシートであるため、使用現場で設置する場合、道路標示用シートを使用現場に搬送し、接着材などにより固着することができる。この結果、ブロック、鋲に比べて材料費を低減できるとともに、路面等の被固定部に簡易に、強固に設置することができ、また、道路標示用シートの耐久性及び視認性を長期間に亘って維持することができる。
【００１１】
第２発明に係る道路標示用シートは、基板の一面に蓄光標示層及び再帰反射標示層を有することを特徴とする。
【００１２】
第２発明にあっては、蓄光標示層を有するため燐光を発生させて標示することができ、また、再帰反射標示層を有するため光源から発光された光を前記光源の方向へ反射させて標示することができる。この結果、災害などにより夜間の屋外照明が失われた場合、屋外の暗闇のなかでは燐光による標示によって避難者を学校、公民館などの避難指定場所へ誘導することができ、また、避難者が所持する懐中電灯などの光量が少ない場合は再帰反射による標示によって避難者を学校、公民館などの避難指定場所へ誘導することができる。しかも、工場で製造されるシートであるため、使用現場で設置する場合、道路標示用シートを使用現場に搬送し、接着材などにより固着することができる。この結果、ブロック、鋲に比べて材料費を低減できるとともに、路面等の被固定部に簡易に、強固に設置することができ、また、道路標示用シートの耐久性及び視認性を長期間に亘って維持することができる。
【００１３】
第３発明に係る道路標示用シートは、基板の一面に再帰反射体を有する蓄光標示層を備えていることを特徴とする。
【００１４】
第３発明にあっては、蓄光標示層を有するため燐光を発生させて標示することができ、また、再帰反射体を有するため光源から発光された光を前記光源の方向へ反射させて標示することができる。この結果、災害などにより夜間の屋外照明が失われた場合、屋外の暗闇のなかでは燐光による標示によって避難者を学校、公民館などの避難指定場所へ誘導することができ、また、避難者が所持する懐中電灯などの光量が少ない場合は再帰反射による標示によって避難者を学校、公民館などの避難指定場所へ誘導することができる。しかも、工場で製造されるシートであるため、使用現場で設置する場合、道路標示用シートを使用現場に搬送し、接着材などにより固着することができる。この結果、ブロック、鋲に比べて材料費を低減できるとともに、路面等の被固定部に簡易に、強固に設置することができ、また、道路標示用シートの耐久性及び視認性を長期間に亘って維持することができる。
【００１５】
第４発明に係る道路標示用シートの使用方法は、請求項１乃至３の何れかに記載の道路標示用シートを道路に貼着することを特徴とする。
【００１６】
第４発明にあっては、避難指定場所の方向、避難指定場所名、現在位置などを標示した道路標示用シートを、避難誘導経路の各設置場所において必要に応じた内容のものを設置することにより、災害などにより夜間の屋外照明が失われた場合、屋外の暗闇のなかであっても、また、避難者が所持する懐中電灯などの光量が少ないときであっても、避難者を避難指定場所へ誘導することができる。
【００１７】
【発明の実施の形態】
以下本発明をその実施の形態を示す図面に基づき具体的に説明する。
実施の形態１
図１は本発明に係る道路標示用シートの構成を示す斜視図、図２は道路標示用シートの拡大断面図である。
【００１８】
この道路標示用シートＡは、平面視で矩形に形成されている基板１の一面に、蓄光標示層２と、該蓄光標示層２の周囲に配置された再帰反射標示層３とが設けられており、蓄光標示層２及び再帰反射標示層３が標示部になっている。蓄光標示層２及び再帰反射標示層３の一方は文字、記号の標示形状とし、他方は文字、記号の標示形状の周りの縁部分とし、標示形状及び縁部分の視認性対比、換言すれば蓄光標示層２及び再帰反射標示層３の視認性対比により標示を認知することができるようにしてある。図１では基板１の一面の中央部に標示形状の蓄光標示層２を設け、この蓄光標示層２の周りの縁部分を再帰反射標示層３としてある。
【００１９】
基板１はポリエステル樹脂、ポリ塩化ビニル樹脂、ＥＶＡ樹脂、アクリル樹脂などの合成樹脂材料を主バインダ成分とする成形されたシート材、又は金属材料、陶磁器、石材、セメントコンクリートなどを主成分とする扁平であり、板厚寸法が０．３〜５ｍｍ程度、好ましくは１〜３ｍｍの薄板材からなるが、その構成は特に制限されない。
【００２０】
蓄光標示層２はアクリル樹脂、エポキシ樹脂などの合成樹脂材料に蓄光顔料を混合してなる液状の混合材を基板１の一面に塗布し、該塗布部分を硬化させることにより前記一面と一体的に固着されている。蓄光顔料は燐光を発生する性質を有しており、この蓄光顔料が発生する燐光により暗闇においても蓄光標示層２を視認することができる。尚、蓄光標示層２はアクリル樹脂、エポキシ樹脂などの液状の合成樹脂材料を基板１の一面に塗布し、該塗布部分を硬化させる途中に蓄光顔料を前記塗布部分の表面に散布して前記一面に固着してもよい。
【００２１】
再帰反射標示層３はアクリル樹脂、エポキシ樹脂などの液状の合成樹脂材料を基板１の一面に塗布し、該塗布部分を硬化させる途中にガラスビーズなどのレンズ効果を有する再帰反射体を前記塗布部分の表面に散布することにより前記一面と一体的に固着されている。尚、この再帰反射標示層３は基板１の成形過程であり、該基板１の合成樹脂材料を硬化させる途中に前記再帰反射体を前記一面に散布して固着させることにより形成してもよい。また、レンズ式、プリズム式の光学反射機能を有するテープ状の成形物を基板１の一面に粘着剤などにより接着させて再帰反射標示層３を形成してもよい。
【００２２】
図３は道路標示用シートの設置例を示す平面図、図４は道路標示用シートの標示部の内容を示す説明図である。
以上のように構成された道路標示用シートＡは避難誘導経路における車両通行の少ない歩道などの路面、縁石などの被固定部に接着固定することにより設置し、避難誘導の道路標示とする。例えば、アクリル樹脂、エポキシ樹脂などの合成樹脂材料、ホットメルト型接着剤、モルタルなどの接着剤を前記被固定部に塗布し、該接着剤の上に道路標示用シートを載せて該道路標示用シートの他面を接着固定する。尚、標示部は誘導経路に応じた内容の標示形状とするのであり、標示部の内容は特に制限されない。
道路標示用シートＡを歩道、縁石に設置した場合、車両通行による摩耗、変形、汚損、剥離などを防ぐことができるため、視認性を長期間に亘って維持することができる。また、道路標示用シートＡは断続的に設置されるため、比較的高価な蓄光顔料の誘導延長あたりの使用量を、特許文献３の蓄光性を有する道路標示塗材による道路標示に比べて少なくすることができ、コストを低減できる。
【００２３】
図５は道路標示用シートの標示部の視認性を確認した場合の説明図である。道路標示用シートＡは図１に記載されている形状であり、長さ寸法が３０ｃｍ、幅寸法が１０ｃｍの大きさである。また、図５（ａ）  は乾電池式投光器などの比較的弱い入射光による視認性を示しており、図５（ｂ）  は暗闇における視認性を示している。図５（ａ）  においては、再帰反射標示層３の再帰反射性が高いため、再帰反射標示層３と蓄光標示層２との明度対比により標示形状を認知することができるのであり、１５ｍ離隔した位置で標示形状を認知することができた。また、図５（ｂ）  においては、１５ｍ離隔した位置で蓄光標示層２の燐光輝度を認識することができたものの、標示形状の認知は困難であった。しかし、１０ｍ離隔した位置で標示形状を認知することができた。
【００２４】
実施の形態２
図６は道路標示用シートの実施の形態２の構成を示す斜視図、図７は道路標示用シートの拡大断面図である。
この実施の形態２の道路標示用シートＡは、基板１の一面に蓄光標示層２及び再帰反射標示層３を有する構成とする代わりに、基板１の一面に再帰反射体４を有する蓄光標示層２を備える構成としたものである。
【００２５】
実施の形態２において、蓄光標示層２はアクリル樹脂、エポキシ樹脂などの合成樹脂材料に蓄光顔料、又は蓄光顔料及び着色顔料を混合してなる液状の混合材を基板１の一面に塗布し、該塗布部分を硬化させる途中にガラスビーズなどのレンズ効果を有する再帰反射体４を前記塗布部分の表面に散布することにより前記蓄光標示層２と一体的に固着される。この場合、蓄光標示層２の周りは縁部分を有する構成、又は縁部分をなくし、蓄光標示層２だけとなる構成としてもよいし、また、標示形状部分をくりぬき孔又は凹所とし、くりぬき孔の周りの縁部分又は凹所の周りの縁部分を蓄光標示層２としてもよい。
実施の形態２にあっては、蓄光標示層２及び該蓄光標示層２の外側部分５、内側部分の視認性対比により標示を認知することができる。
その他の構成及び作用は実施の形態１と同様であるため、同様の部品については同じ符号を付し、その詳細な説明及び作用効果の説明を省略する。
【００２６】
実施の形態３
この実施の形態３の道路標示用シートは図示していないが、基板１を構成する前記した合成樹脂材料に蓄光顔料を混合し、この混合材を成形用型に供給して基板１を成形する過程であり、該基板１を硬化させる途中に前記再帰反射体４を基板１の一面に散布して固着させることにより形成してある。
その他の構成及び作用は実施の形態１、２と同様であるため、同様の部品については同じ符号を付し、その詳細な説明及び作用効果の説明を省略する。
【００２７】
【発明の効果】
第１発明、第２発明、第３発明によれば、災害の発生により夜間の屋外照明が失われた場合、屋外の暗闇のなかでは燐光による標示によって避難者を学校、公民館などの避難指定場所へ誘導することができ、また、避難者が所持する懐中電灯などの光量が少ない場合は再帰反射による標示によって避難者を学校、公民館などの避難指定場所へ誘導することができる。しかも、シートであるためブロック、鋲に比べて材料費を低減できるとともに、路面等の被固定部に貼着により簡易に固定することができ、また、基板に蓄光標示層及び再帰反射標示層が設けられているため、道路標示用シートの耐久性及び視認性を長期間に亘って維持することができる。
【００２８】
第４発明にあっては、任意の標示内容を任意の場所に提供することがきるため、災害などにより夜間の屋外照明が失われた場合でも、避難者は各設置場所における標示内容の的確な情報を頼りに、確実に目的の場所に向かうことができる。
【図面の簡単な説明】
【図１】本発明に係る道路標示用シートの構成を示す斜視図である。
【図２】道路標示用シートの拡大断面図である。
【図３】道路標示用シートの設置例を示す平面図である。
【図４】道路標示用シートの標示部の内容を示す説明図である。
【図５】道路標示用シートの標示部の視認性を確認した場合の説明図である。
【図６】道路標示用シートの実施の形態２の構成を示す斜視図である。
【図７】道路標示用シートの拡大断面図である。
【符号の説明】
１    基板
２    蓄光標示層
３    再帰反射標示層
４    再帰反射体
【図１】
2004332369.tif 000003
【図２】
2004332369.tif 000004
【図３】
2004332369.tif 000005
【図４】
2004332369.tif 000006
【図５】
2004332369.tif 000007
【図６】
2004332369.tif 000008
【図７】
2004332369.tif 000009